(57)【要約】【課題】  研磨材を上面部、底面部に配置し、安全研磨具、効率的、的確たる研磨を求めるべく機能および構造を探り求める。【解決手段】  両面研磨材つき研磨の、被研磨物保護機能つき、軽便でありながら上面部、底面部両面部に研磨材を施してなる研磨具で、両面部が異種、異機能および、同種、同機能なる研磨効果を持つ研磨具であって、両面研磨材つき研磨具の基礎基盤１の上面に保護シート２、研磨材３を、同じく基礎基盤１の底面に、保護シート４、研磨材５を接合接着してなる、両面研磨材つき研磨具。【選択図】      図４
0003110369.tif 000002
【実用新案登録請求の範囲】
【請求項１】
この考案は、研磨具の基礎基盤（１）を中心に設置し、基礎基盤（１）の上面及び、底面に、保護シート（２，４）、研磨材（３，５）を設けてなる構造を持つ両面研磨材つき研磨具で、基礎基盤（１）を研磨器の中心部に設置、基礎基盤（１）の上面に保護シート（２）、研磨材（３）を設置、基礎基盤（１）の底面に保護シート（４）、研磨材（５）設置、即ち、研磨材（３）保護シート（２）基礎基盤（１）保護シート（４）研磨材（５）の順に接合、ブロック化し一体化された研磨具であって、基礎基盤（１）の両面に、接触防止緩和設置安全構造にあたる被研磨物保護目的の保護シート（２，４）を施した特徴をもち、研磨具両面に、同種同機能研磨材（３，５）、上面、下面に別機能の異種異機能研磨材をもつ研磨材、（３，５）、を設けた多機能機構の両面研磨材つき研磨具構造で、括、被研磨物保護目的の保護シートつき研磨具構造。
【考案の詳細な説明】
【考案の詳細な説明】
【技術分野】
【０００１】  本考案は、被研磨物保護目的の保護シートつき研磨具で、研磨具の上面部、底両面に異種、異機能または、同種、同機能の研磨材を設置した研磨具で、研磨に際しての役割分担などの変環に有効なる研磨具であり、研磨の使用に際しては、一般家庭からユーザープロまで研磨工具として多面的有効工具なるもので、簡単構造、機能的構造研磨具である。
【背景技術】
【０００２】  従来の研磨具、研磨器は、一枚の研磨シート、または、ロールになったロール状研磨シートなどを研磨材とし、研磨具、研磨器に研磨材着装において、研磨材、研磨シートの交換方式が多い。研磨具、研磨器に研磨材、研磨シート着装装置を設ける必要があり、着装において時間的ロスが生じる、着装ホルダー器具の絶対的な必要性を生じた。研磨器に保護シートを設けた研磨具、研磨器においても、ホルダーを必要とした考案の、実用新案登録、研磨シートブロックつきホルダー研磨器に於てもホルダーを必要とし、また一面一機能の研磨器であり、ホルダー使用の煩わしさは免れない。ホルダー不要の場合でも、一面のみの研磨材使用器具の不便は免れない。
【考案が解決しようとする課題】
【０００３】  従来の研磨シートは、研磨器に研磨シート着装する際において、研磨材の研磨シート、またはロール状研磨シートの切断しての研磨シート着装が大多数であり、研磨器、研磨具への研磨シートの着装、交換について着装行為の煩わしさ、時間的ロスを感じ、不便がある。研磨器、研磨具に、研磨シート着装する場合でも、研磨シート着装器具または、ホルダーを必ず必要とし、器具、研磨シートと合体行為を必要とする不便がある。研磨器、研磨具への研磨シート着装の不便さ、着装のための研磨器、研磨具への研磨シート着装の際、緩み、歪み着装、研磨シートの凹凸着装など不安定な研磨シートの着装が多く、研磨器、研磨具に正確な研磨シート着装は困難、不便である。ホルダー着装の場合では、交換行為を必要とする煩わしさがあり、その解決に、合理的正確な研磨シート着装手段を求め、研磨器、研磨具への研磨シート着装の困難さによる時間的ロス不便さなどを少なくする手段及び研磨シート着装技術などを考え、研磨器、研磨具そのものが研磨材と合体し、被研磨物保護目的の保護シートつき研磨具を考え、研磨効果を持つ研磨具を提供するものです。
【０００４】  研磨具上底両面部に、被研磨物の保護目的なる保護シートをもち、特に異種、異機能の研磨機能を持った研磨具の本考案は、利便性に於て、研磨具と研磨材との合体による合理性を目的とする研磨具を提供出来るものであり、また、上底両面に同種、同機能の研磨機能の利便性もある研磨具である。
【課題を解決するための手段】
【０００５】  従来の研磨シートは、手作業などにより研磨器、研磨具に研磨シート着装使用する為、研磨器、研磨具への手作業による研磨材の研磨シート、ロール状研磨シートの着装に不便さ、研磨器、研磨具への研磨シート着装時の緩み、歪み着装が多く見られ、研磨器、研磨具への研磨シート着装技術を要求されるが、本考案はそれらの不便さに対し、研磨器、研磨具と研磨材の合体を求め、基礎基盤１に、それぞれ保護シート２，に研磨材４を、保護シート３，に研磨材５を接合合体し、一体化された両面研磨材つき研磨器とし、本考案による一体化、ブロック化構造により、研磨材着装行為の不便性、研磨材着装の緩み、歪み着装、凹凸着装などの問題を解決するものである。
【０００６】  本考案の、両面研磨材つき研磨具は、従来の研磨器、研磨具などと研磨材とを合体し、上底両面研磨材方式によるもので、基礎基盤１と研磨材３，５の間に、保護シート２，４を施し、上底両面研磨材の設置による効果と共に、保護シート２，４による被研磨物を保護する構造にあり、被研磨物は、研磨材、研磨シートなどの破損に至っても、この保護シート部分２，４により完全に守られ、基礎基盤１に接触を防止する構造を有するもので、両面研磨材つき研磨具６としての利便性、被研磨物保護目的つき安全使用研磨器として合理的構造を有する。従来の研磨材を研磨器、研磨具に研磨材に着装する際における研磨材の研磨シート、またはロール状研磨シートの切断しての研磨シート着装などの際など、着装、交換について着装行為の煩わしさ、時間的ロスを無くし、一つの研磨具による、上底部両面部に異種、異機能研磨または、上底両面部に同種、同機能研磨の多様化を持たせ、合理的な研磨を可能とした研磨目的を果たす。
【０００７】  本考案の両面研磨材つき研磨具の基礎基盤１と研磨材３，５との間にある被研磨物の保護目的なる保護シート２，４は、被研磨物の保護に適するフエルト状紙、フエルト布などを使用するもので、研磨材３，５、と保護シート２，４の接合による研磨材の歪み、皺などの凹凸を、保護シートが吸収する効果を持ち、凹凸の少ない研磨材に変容し、精密さを要求する研磨にも適する機構となる研磨具自身の優れ効果がみられる。
【０００８】  本考案の、両面研磨材つき研磨器は、従来の研磨器、研磨具と研磨材とを合体上裏両面方式により、ブロック化したもので、研磨材の研磨器、研磨具などへの着装器具の、器具不要によるコストの軽減は計り知れないものがある。
【考案を実施するための最良の形態】
【０００９】  図１は、両面研磨材つき研磨具の上面部である平面図図面、図２は、両面研磨材つき研磨具の底面部の底面図図面である。平面部および底面部の研磨材の研磨材荒目、研磨材細目などの、研磨材、研磨シートなどの目的に応じた研磨材材質をそれぞれ満たす状態を示した図面で、平面、底面の、図１、図２に異種異機能の研磨材、研磨シートの施した状態を表わしたものである。また、上裏両面に平面、底面、図１、図２に同種同機能の研磨材、研磨シートの使用も可能とするものです。【００１０】  図３は、被研磨物の保護目的の保護シート２、研磨材３、を基礎基盤１の上面部に、保護シート４、研磨材５、を底面部に設けた、両面研磨材つき研磨具６の正面図である。基礎基盤１は、保護シート２，４、研磨材３，５、を保持する強さを求められるもので、硬質性と有粘性素材または、有粘性を持つスポンジ状素材からなり、その条件を満たす化学素材をもって基礎基盤１とする。保護シート２，４は、被研磨物の保護に適するフエルト状紙、フエルト布などが的するものである。【００１１】  図４は、両面研磨材つき研磨具６の斜視図である。従来の研磨器、研磨具に見られる研磨具のホルダーの無い状況を一見して明らかにするもので、研磨具をブロック状としたもので、基礎基盤１に、上面部、底面部両面に保護シート２，４を施し、研磨材３，５つき研磨具の斜視図で、形態は簡素化されたもので被研磨物保護を成し得た利便さ機能的なる研磨具である。【００１２】  本考案の両面研磨材つき研磨具６は、使用目的に合わせ手作業に適した大きさであり、被研磨物の大きさに適合、満たす大きさである。また、本考案は、研磨実施作業中においても、簡単に本考案研磨具を必要な大きさに断裁などをもって、自在に、両面研磨材つき研磨具自身の大きさを簡単に変えられる特性がある。
【考案の効果】
【００１３】  本考案は、図４に示すとおり、構造は、簡単構造の製品ながら、被研磨物を研磨傷などから保護、保護する保護シートを上底両面に設置し、どちらの面が研磨状態にあっても被研磨物を保護しながら研磨の継続使用出来る特徴、効果がある両面研磨材つき研磨具の利便、機能効果がある。
【００１４】  本考案は、基礎基盤などを、硬質化と有粘性素材、有粘性を持つスポンジ状素材など化学的に生産可能なものとし、安価である材料を使用し、かつ多量生産可能な特徴を有する研磨具を考えるものであり、使用に際しては利便性を追求し被研磨物を保護シートにより保護し、上面部、底面部両面研磨機能による異種異機能をもち被研磨物に速やかな対応しつつ、初期研磨から仕上げの研磨を一つの研磨具をもって対応する利便さ、また、上面部、底面部両面研磨機能による同種同機能をもつ継続性にも対応出来るものである。
【００１５】  本考案の両面研磨材つき研磨具は、手持ち研磨具としての特徴をもちながら、簡単構造故の大きさの自在性を望める利点がある。大きさの自在性は、何時、何処でも研磨使用可能とし、研磨保持具と研磨具の共用性の利点を強調するものです。
【図面の簡単な説明】
【図１】  本考案の、両面研磨材つき研磨具の平面図、である。
【図２】  本考案の、両面研磨材つき研磨具の底面図、である。
【図３】  本考案の、両面研磨材つき研磨具の正面図、である。
【図４】  本考案の、両面研磨材つき研磨具の斜視図、である。
【符号の説明】
１  基礎基盤
２  保護シート
３  研磨材
４  保護シート
５  研磨材
６  両面研磨材つき研磨具
【図１】
0003110369.tif 000003
【図２】
0003110369.tif 000004
【図３】
0003110369.tif 000005
【図４】
0003110369.tif 000006